(57)【特許請求の範囲】
【請求項１】
少なくとも、事務機器の装置本体へ取り付けられる取付部材と、この取付部材にヒンジシャフトを介して回動可能に連結され、前記事務機器の蓋体を直接的または間接的に支持する支持部材とを備えた蓋体の開閉装置のワンタッチ取付機構であって、
このワンタッチ取付機構を、
フランジ部を有し前記取付部材の底板に前記フランジ部により上方へ抜け止めされて回転可能かつ軸方向へスライド可能に取り付けられた取付シャフトと、
この取付シャフトの上端部側に共に回転可能に固定された操作部材と、
前記操作部材と前記底板の間に前記取付シャフトを貫通させて設けた弾性部材と、
前記取付シャフトの下端部側に共に回転可能に固定された係止部材とで構成し、
前記装置本体へ蓋体の開閉装置を取り付けるにあたり、当該装置本体の装甲板に設けた係止孔へ前記係止部材を前記フランジ部ごと挿入させて前記操作部材を回転させ、前記係止部材が前記係止孔へ係合されることにより、前記蓋体の開閉装置が前記装置本体への取り付けが成されるように構成したことを特徴とする、蓋体の開閉装置のワンタッチ取付機構。
【請求項２】
前記蓋体の開閉装置が、事務機器の装置本体へ取り付けられる取付部材と、この取付部材に第1ヒンジシャフトを介して回動可能に連結され、前記事務機器の蓋体を間接的に支持する支持部材と、この支持部材の自由端側に第２ヒンジシャフトを介して前記支持部材とは反対方向へ回動可能に取り付けられたところの前記蓋体を支持するリフト部材と、前記取付部材と前記支持部材側との間に前記支持部材を前記蓋体の開成方向へ付勢させる弾性手段を設けたもので構成されていることを特徴とする、請求項１に記載の蓋体の開閉装置のワンタッチ取付機構。
【請求項３】
前記蓋体の開閉装置が、事務機器の装置本体へ取り付けられる取付部材と、この取付部材に第1ヒンジシャフトを介して回動可能に連結され、前記事務機器の蓋体を間接的に支持する支持部材と、この支持部材の自由端側に第２ヒンジシャフトを介して前記支持部材とは反対方向へ回動可能に取り付けられたところの前記蓋体を支持するリフト部材と、前記取付部材と前記支持部材側との間に前記支持部材を前記蓋体の開成方向へ付勢させると共に、前記リフト部材を前記支持部材と重なり合う方向へ付勢するトルク制御手段を設けたもので構成されていることを特徴とする、請求項１に記載の蓋体の開閉装置のワンタッチ取付機構。
【請求項４】
前記フランジ部は、前記取付シャフトに嵌めこまれたＥリングであることを特徴とする、請求項１〜３のいずれか１項に記載の蓋体の開閉装置のワンタッチ取付機構。
【請求項５】
前記弾性部材は、前記底板と前記フランジ部の間、或は前記底板と前記操作部材の間及び前記底板と前記フランジ部の間に設けられることを特徴とする、請求項１〜４のいずれか１項に記載の蓋体の開閉装置のワンタッチ取付機構。
【請求項６】
前記弾性部材がスプリングワッシャー、スプリングワッシャーと皿バネ、ウエーブワッシャー、板バネ、或は圧縮スプリングの中から選ばれたものであること特徴とする、請求項１〜５のいずれか１項に記載の蓋体の開閉装置のワンタッチ取付機構。
【請求項７】
前記操作部材の下面側、或は前記係止部材の上面側のいずれか一方或いは双方には、前記取付シャフトを挟んだ対向面に凸部が設けられていることを特徴とする、請求項１〜６のいずれか１項に記載の蓋体の開閉装置のワンタッチ取付機構。
【請求項８】
前記係止孔は、前記フランジ部と前記係止部材の通過を許容し、かつ前記係止部材の回転により当該係止部材を係止する形状であることを特徴とする、請求項１〜７のいずれか１項に記載の蓋体の開閉装置のワンタッチ取付機構。
【請求項９】
請求項１〜８のいずれか１項に記載のワンタッチ取付機構を有する蓋体の開閉装置を備えたことを特徴とする、事務機器。
【発明の詳細な説明】
【技術分野】
【０００１】
本発明は、複写機、印刷機、ファクシミリ、スキャナー等の事務機器に用いて好適な蓋体の開閉装置のワンタッチ取付機構並びにこのワンタッチ取付機構を有する蓋体の開閉装置を備えた事務機器に関するものである。
【背景技術】
【０００２】
従来、複写機、印刷機、ファクシミリ、スキャナー等の事務機器の蓋体を装置本体に対して開閉可能に取り付ける蓋体の開閉装置は、この蓋体の開閉装置を装置本体へ取り付ける方法として、例えば特許文献１に記載されたようなものが公知であり、現在一般的に使用されている。この取付方法は、図９に示したように、特許文献１で蓋体の開閉装置と称している蓋体の開閉装置５００の取付部材５０１の底板５０１ａに平面鍵穴形状を呈した第１取付孔５０１ｂと小丸形状の第２取付孔５０１ｄが設けられており、まず、第１取付孔５０１ｂへ事務機器６００の装置本体６０１側に取り付けた取付ボタンネジ７０１の頭部を挿入させた上で、蓋体の開閉装置５００に手を添えて手前側へ引きその首部を幅狭のガイド溝５０１ｃへ係合させ、次いで、取付ネジ７０２を用いて底板５０１ａに設けた第２取付孔５０１ｄを介して底板５０１ａを装置本体６０１側へネジ着させていた。場合によっては、この取付ボタンネジ７０１にドライバー用の溝が設けられており、ドライバーを用いて、装着後に増し締めがなされる場合もあった。
【０００３】
しかるに、この従来公知の取付方法は、取付ネジ７０２で取付部材５０１の底板５０１ａへ固定する際に、この取付ネジ７０２と、装甲板６０２に予め設けた第２取付孔５０１ｄとの位置が合わなかったり、それらの位置合わせ作業に手間取ったり、或いはまた、蓋体が蓋体の開閉装置５００に対し、多くの場合通常状態において９０度まで開かないように構成されていることから、取付ネジ７０２に対し、ドライバーなどのねじ込み工具を真上から作用させることができずに、取付ネジ７０２が斜めにねじ込まれて確実に固定できなかったり、ねじ込み工具用の溝やネジ孔が破損したりすることも稀ではなかった。
【先行技術文献】
【特許文献】
【０００４】
【特許文献１】特開２０１４−１３７５４３号公報
【発明の概要】
【発明が解決しようとする課題】
【０００５】
本発明は、かかる問題点を解決するために創作されたものであり、事務機器の装甲板上へ蓋体の開閉装置を取り付ける際の位置決め作業及び固定作業を容易化すると共に、取付ボタンネジや取付ネジを用いることなくワンタッチで確実な固定効果が達成できる蓋体の開閉装置のワンタッチ取付機構並びにこれのワンタッチ取付機構を設けた蓋体の開閉装置を備えた事務機器を提供せんとするものである。
【課題を解決するための手段】
【０００６】
上記課題を解決するために請求項１発明に係る蓋開閉装置のワンタッチ取付機構は、少なくとも、事務機器の装置本体へ取り付けられる取付部材と、この取付部材にヒンジシャフトを介して回動可能に連結され、前記事務機器の蓋体を直接的または間接的に支持する支持部材とを備えた蓋体の開閉装置のワンタッチ取付機構であって、このワンタッチ取付機構を、フランジ部を有し前記取付部材の底板に前記フランジ部により上方へ抜け止めされて回転可能かつ軸方向へスライド可能に取り付けられた取付シャフトと、この取付シャフトの上端部側に共に回転可能に固定された操作部材と、前記操作部材と前記底板の間に前記取付シャフトを貫通させて設けた弾性部材と、前記取付シャフトの下端部側に共に回転可能に固定された係止部材とで構成し、前記装置本体へ蓋体の開閉装置を取り付けるにあたり、当該装置本体の装甲板に設けた係止孔へ前記係止部材を前記フランジ部ごと挿入させて前記操作部材を回転させ、前記係止部材が前記係止孔へ係合されることにより、前記蓋体の開閉装置が前記装置本体への取り付けが成されるように構成したことを特徴とする。
【０００７】
また、請求項２発明は、前記蓋体の開閉装置を、事務機器の装置本体へ取り付けられる取付部材と、この取付部材にヒンジシャフトを介して回動可能に連結され、前記事務機器の蓋体を間接的に支持する支持部材と、この支持部材の自由端側に第２ヒンジシャフトを介して前記支持部材とは反対方向へ回動可能に取り付けられたところの前記蓋体を支持するリフト部材と、前記取付部材と前記支持部材側との間に前記支持部材を前記蓋体の開成方向へ付勢させる弾性手段を設けたもので構成されていることを特徴とする。
【０００８】
さらに、請求項３発明は、前記蓋体の開閉装置を、事務機器の装置本体へ取り付けられる取付部材と、この取付部材にヒンジシャフトを介して回動可能に連結され、前記事務機器の蓋体を間接的に支持する支持部材と、この支持部材の自由端側に第２ヒンジシャフトを介して前記支持部材とは反対方向へ回動可能に取り付けられたところの前記蓋体を支持するリフト部材と、前記取付部材と前記支持部材側との間に前記支持部材を前記蓋体の開成方向へ付勢させると共に、前記リフト部材を前記支持部材と重なり合う方向へ付勢するトルク制御手段を設けたもので構成されていることを特徴とする。
【０００９】
さらに、請求項４発明は、前記フランジ部が、前記取付シャフトに嵌めこまれたＥリングであることを特徴とする。
【００１０】
さらに、請求項５発明は、前記弾性部材が、前記底板と前記フランジ部の間、或は前記底板と前記操作部材の間及び前記底板と前記フランジ部の間に設けられることを特徴とする。
【００１１】
さらに、請求項６発明は、前記弾性部材がスプリングワッシャー、スプリングワッシャーと皿バネ、ウエーブワッシャー、板バネ、或は圧縮スプリングの中から選ばれたものであること特徴とする。
【００１２】
さらに、請求項７発明は、前記操作部材の下面側、或は前記係止部材の上面側のいずれか一方或いは双方には、前記取付シャフトを挟んだ対向面に凸部が設けられていることを特徴とする。
【００１３】
さらに請求項８発明は、前記係止孔が、前記フランジ部と前記係止部材の通過を許容し、かつ前記係止部材の回転により当該係止部材を係止する形状であることを特徴とする。
【００１４】
そして、請求項９発明は、事務機器が前記各請求項に記載のワンタッチ取付機構を有する蓋体の開閉装置を備えたことを特徴とする。
【発明の効果】
【００１５】
本発明は、以上のように構成したので、蓋体を取り付けた蓋体の開閉装置を手に持って、取付部材に設けたワンタッチ取付機構の係止部材を、フランジ部ごと事務機器の装置本体の装甲板に設けた係止孔に挿入させ、操作部材を手指を用い、或はペンチ等の簡単な工具で所定角度回すだけで、係止部材が操作部材と共に回転し、この係止部材と前記取付部材との間に装置本体の装甲板が挟持された状態となり、装着後においても操作部材を逆方向へ回して係止孔の位置に係止部材を合わせると、容易に外すことができるので、蓋体の開閉装置を簡単かつ容易に装置本体へ取り付けることができることから、蓋体の装置本体に対する取付作業や事務機器に対する修理点検時における蓋体の着脱作業も極めて容易かつ簡単となるという作用効果を奏し得るものである。また、ドライバーを用いる必要がないので、蓋体が予め傾斜した状態で蓋体が蓋体の開閉装置に取り付けられているものであっても、取付ネジの頭部の溝が潰れてしまったり壊れてしまうことがないものである。
【図面の簡単な説明】
【００１６】
【図１】本発明に係るワンタッチ取付機構を用いた蓋体の開閉装置を事務機器の装置本体へ取付けた状態を示す斜視図である。
【図２】図１に示したワンタッチ取付機構の取付状態を下方から見た斜視図である。
【図３】図１に示したワンタッチ取付機構の部分の分解斜視図である。
【図４】図１に示したワンタッチ取付機構及び蓋体の開閉装置のＡ−Ａ線断面図である。
【図５】図４のＢ−Ｂ線断面図である。
【図６】図４のＣ−Ｃ線断面図である。
【図７】本発明に係るワンタッチ取付機構の取付シャフトを示し、（ａ）はその斜視図、（ｂ）はその縦断面図である。
【図８】本発明に係るワンタッチ取付機構の他の実施例を示す縦断面図である。
【図９】従来の蓋体の開閉装置の取付方法を説明するための斜視図である。
【発明を実施するための形態】
【００１７】
以下、本発明に係る蓋体の開閉装置のワンタッチ取付機構、並びにこのワンタッチ取付機構を設けた蓋体の開閉装置を備えた事務機器の好適な実施例を図面に基づいて説明する。本願明細書では、事務機器としては複写機、蓋体の開閉装置としては原稿圧着板の開閉装置を例にとって説明するが、このものに限定されるものではなく、例えば、事務機器としては上述したように、複写機以外に印刷機、ファクシミリ、スキャナー等が含まれ、蓋体の開閉装置としては、印刷機、ファクシミリ、スキャナー等の蓋体を開閉するものも含まれるので、本願明細書と本願特許請求の範囲では蓋体の開閉装置と称する。
【００１８】
また、蓋体の開閉装置は、通常一対用いられるが、本願明細書、図面では、そのうちの一つを例に取り説明する。この一対用いられる蓋体の開閉装置は、両方とも同じ構成のものもあるが、通常は異なる構成のものである。同じ構成のものであっても、或は異なる構成のものであっても、それぞれの蓋体の開閉装置に本願発明に係るワンタッチ取付機構が用いられることが望ましい。
【００１９】
したがって、この意味においても、蓋体の開閉装置の構成は、実施例のものに限定されない。本願発明に係る蓋体の開閉装置は、少なくとも、事務機器の装置本体へ取り付けられる取付部材と、この取付部材にヒンジシャフトを介して回動可能に連結され、前記事務機器の蓋体を直接的または間接的に支持する支持部材とを備えていれば足りるものである。
【００２０】
そこで、実施例以外に本発明を実施できる蓋体の開閉装置は、例えば以下の構成のものが含まれる。
【００２１】
事務機器の装置本体へ取り付けられる取付部材と、この取付部材に第1ヒンジシャフトを介して回動可能に連結され、前記事務機器の蓋体を間接的に支持する支持部材と、この支持部材の自由端側に第２ヒンジシャフトを介して前記支持部材とは反対方向へ回動可能に取り付けられたところの前記蓋体を支持するリフト部材と、前記取付部材と前記支持部材側との間に前記支持部材を前記蓋体の開成方向へ付勢させる弾性手段を設けたもので構成されていることを特徴とする、蓋体の開閉装置。
【００２２】
さらには、事務機器の装置本体へ取り付けられる取付部材と、この取付部材に第1ヒンジシャフトを介して回動可能に連結され、前記事務機器の蓋体を間接的に支持する支持部材と、この支持部材の自由端側に第２ヒンジシャフトを介して前記支持部材とは反対方向へ回動可能に取り付けられたところの前記蓋体を支持するリフト部材と、前記取付部材と前記支持部材側との間に前記支持部材を前記蓋体の開成方向へ付勢させると共に、前記リフト部材を前記支持部材と重なり合う方向へ付勢するトルク制御手段を設けたもので構成されていることを特徴とする、蓋体の開閉装置などである。
【実施例１】
【００２３】
図１乃至図７は、本発明に係る蓋体の開閉装置のワンタッチ取付機構並びにこのワンタッチ取付機構を備えた事務機器の一種としての複写機の実施例１を示す図である。この実施例１に係る蓋体の開閉装置１０は、公知構成のもので、一例として説明するが、本発明を実施する蓋体の開閉装置１０は、上述したように、この実施例１に記載のものに限定されるものではない。リフト部材のないものは、第1ヒンジシャフトは、単にヒンジシャフトとなる。
【００２４】
図示した蓋体の開閉装置１０は、公知構成のものであり、事務機器２０の装置本体２００に取り付けられる取付部材１０１と、この取付部材１０１に第１ヒンジシャフト１０３を介して回転可能に連結され、蓋体２０３を間接的に支持する支持部材１０２と、蓋体２０３の後端部側へ取り付けられ、支持部材１０２の自由端側に第２ヒンジシャフト１０５を介して支持部材１０２とは逆の方向へ回動可能となるように取り付けられたリフト部材１０４と、このリフト部材１０４が第２ヒンジシャフト１０５を介して旋回する側に取り付けられた作動部材１０６と、取付部材１０１の両側板１０１ｂ、１０１ｂ間に取り付けられた同じく受圧部材１０７と、この受圧部材１０７と作動部材１０６との間に設けられたトルク制御手段１０８とで構成されている。尚、実施例では作動部材１０６と受圧部材１０７は、ピン状のものであるが、このものに限定されない。例えば作動部材１０６は、リフト部材に取り付けた多形状のもの、取付部材１０１に取り付けた多形状或いはカム状のもの、さらには、作動部材１０６と受圧部材１０７共にローラー状のもので構成することができる。
【００２５】
このトルク制御手段１０８は、支持部材１０２内の取付部材１０１側に摺動可能に保持され受圧部材１０７にそのカム部１０９ａ側を当接させて成るカムスライダー１０９と、リフト部材１０４の前記第２ヒンジシャフト１０５側に取り付けられた作動部材１０６に一端部側を当接させて成るスライダー１１０と、支持部材１０２内に収装されスライダー１１０とカムスライダー１０９との間へ弾設された圧縮コイルスプリングから成る弾性手段１１１とで構成されている。尚、このトルク制御手段１０８は、この実施例のものに限定されず、例えば上述したように、単に取付部材３と支持部材５の間に弾設された圧縮コイルスプリングの場合もある。
【００２６】
取付部材１０１は、装置本体２００に取り付けられる底板１０１ａと、底板１０１ａの両側端部からそれぞれ底板１０１ａに対して直交する方向（略直交する方向も含む）へ折り曲げた両側板１０１ｂ、１０１ｂと、底板１０１ａの後端部から底板１０１ａに対して直交する方向（略直交する方向も含む）に延びる略矩形状の後板１０１ｃとから構成されている。底板１０１ａは、略矩形状に形成され、後述するワンタッチ取付機構１２０により、装置本体２００の装甲板２０１にワンタッチで取り付け固定されるものである。
【００２７】
支持部材１０２は、上板１０２ａと、上板１０２ａの両側端部からそれぞれ上板１０２ａに対して直交する方向に下方に向けて折り曲げられた両側板１０２ｂ、１０２ｂと、この両側板１０２ｂ、１０２ｂの先端部を互いに対向する側に９０°折り曲げることによって形成した一対の抱持片１０２ｃ、１０２ｃとから成り、その両側板１０２ｂ、１０２ｂを取付部材１０１の両側板１０１ｂ、１０１ｂに第１ヒンジシャフト１０３を介して回転可能に連結されている。
【００２８】
リフト部材１０４は、蓋体２０３の後端側にビス等で取り付けられる上板１０４ａと、この上板１０４ａの両端部からそれぞれ上板１０４ａに対して直交する下方向（略直交する方向も含む）に折り曲げられて形成された両側板１０４ｂ、１０４ｂと、この両側板１０４ｂ、１０４ｂから外側へ折り曲げたところの蓋体２０３を取り付ける取付板１０４ｃ、１０４ｃとから成る略凸状のものであり、その両側板１０４ｂ、１０４ｂを支持部材１０２の両側板１０２ｂ、１０２ｂの自由端側の外側に第２ヒンジシャフト１０５を介して支持部材１０２の回転方向とは逆方向に回動可能に取り付けられている。
【００２９】
トルク制御手段１０８のカムスライダー１０９とスライダー１１０は、それぞれ弾性手段１１１の両端部側を収容させる収容部１０９ｂ、１１０ｂが設けられ、カムスライダー１０９の第１ヒンジシャフト１０３側にはカム部１０９ａが設けられると共に、上述したように受圧部材１０７のグリスを塗布させた部分を外部から覆い隠す舌片１０９ｃが設けられており、さらに、とくに弾性手段１１１の前面部側はスライダー１１０のカム部１１０ａによって覆われており、スライダー１１０は支持部材１０２の抱持片１０２ｃ、１０２ｃにより軸方向にスライド可能なように保持されている。抱持片１０２ｃ、１０２ｃの幅と長さに限定はない。
【００３０】
弾性手段１１１はスライダー１１０に摺動可能に圧接している作動部材１０６を押し、リフト部材１０４を第２ヒンジシャフト１０５を支点に支持部材１０２と重なり合う方向へ回動付勢させると共に、支持部材１０２を蓋体２０３の開成方向へ回動付勢させている。また、カムスライダー１０９は、そのカム部１０９ａを受圧部材１０７に摺圧接させることにより、蓋体２０３の開閉動作に伴う支持部材１０２の回転動作と共に受圧部材１０７の表面を摺動して、支持部材１０２の回転動作を制御し、かつ蓋体２０３の開閉動作を制御するものである。
【００３１】
したがって、この摺圧接を滑らかなものにするため、受圧部材１０７の表面とカム部１０９ａの表面には、図示してないが、潤滑グリスが塗布されている、また、弾性手段１１１と収容部１０９ｂ、１１０との間にも潤滑グリスが塗布されている。弾性手段１１１は実施例では１本であるがこれを複数本並列させたり、或は軸方向へ重ねたりして使用することがあり、それは開閉装置１０にかかる蓋体２０３の荷重により任意に選択される。尚、指示記号１１２のものは高さ調節用の調節ネジである。
【００３２】
次に、本発明に係る蓋体の開閉装置１０の作用について説明する。装置本体２００に対して蓋体２０３が閉じられた閉成状態において、トルク制御手段１０８の弾性手段１１１は最大限に圧縮された状態にあって、スライダー１１０に当接している作動部材１０６を介してリフト部材１０４は支持部材１０２と重なり合う方向へ回転付勢されている。このとき、蓋体２０３は弾性手段１１１により開成方向へ付勢されているが、蓋体２０３の重量が勝るため、閉成状態を保ちコンタクトガラス２０４へ圧接している。したがって、薄物原稿２０５の場合には蓋体２０３の重量により当該原稿はコンタクトガラス２０４上に圧着されることになる。
【００３３】
この閉成状態から蓋体２０３を開くと、第１ヒンジシャフト１０３を支点に支持部材１０２と共に回転して蓋体２０３は開かれるが、開かれるうちに蓋体２０３が支持部材１０２に及ぼす荷重が減少することから、弾性手段１１１の弾力により蓋体２０３は軽く開かれ、原稿をコンタクトガラス２０４上へ載置する３０°から３５°の開成角度においては、摺動部分のフリクションも加わって、蓋体２０３から手を離しても当該蓋体２０３は自然落下することがない。
【００３４】
こうして薄物原稿２０５の場合には、当該薄物原稿２０５をコンタクトガラス２０４上へ載置、或は交換して蓋体２０３を閉じてスイッチを押すことにより複写が可能となるものである。自動で複写を行う場合には、図示していない原稿自動送り装置を用いて複写を行い、蓋体２０３を開閉させる必要はない。
【００３５】
一方、原稿が本のように厚い厚物原稿の場合には、蓋体２０３を必要な開成角度まで開いて、この厚物原稿をコンタクトガラス２０４上に置き、蓋体２０３を閉じると、厚物原稿の後端部に蓋体２０３の下面が当るのでさらに力を加えて押し下げると、蓋体２０３がリフト部材１０４と共にトルク制御手段１０８の弾性手段１１１の弾力に抗して反転し、厚物原稿の上面を平行に覆うことに成ることから、外光が装置本体２００の露光系に進入して複写を妨げることがない。
【００３６】
次に、本発明に係るワンタッチ取付機構１２０について、図１〜７を参照しつつ説明する。
【００３７】
ワンタッチ取付機構１２０は、とくに図３と図７に示したように、取付シャフト１２１と、操作部材１２２と、係止部材１２３と、弾性部材１２４とから構成されている。
【００３８】
取付シャフト１２１は、図７に拡大して示す如く、軸直角断面が非円形の第１異形軸部１２１ａと、第２異形軸部１２１ｂと、それらの中間の円形軸部１２１ｃと、フランジ部１２１ｄと、第１カシメ部１２１ｅと、第２カシメ部１２１ｆとから形成され、図３、４に示す如く、その第１異形軸部１２１ａと円形軸部１２１ｃとが、前記取付部材の底板１０１ａに設けた軸孔１０１ｄに下側から挿通され、その軸中心に回転可能に保持されるようになっている。尚、フランジ部は、これをＥリングとしても良い。この場合、Ｅリングは、公知構成のように、取付シャフト１２１に設けた周溝に嵌めこまれることになる。このように構成すると、取付シャフト１２１をフランジ部１２１ｄの径を有する大径の丸棒から削り出さなくともよいので、コストダウンを図ることができる。
【００３９】
操作部材１２２は、とくに図４と図５に示す如く、円形部１２２ａと、その半径方向に沿って外側に延び出た一対の指掛け部１２２ｂ、１２２ｂと、前記取付シャフト１２１の第１異形軸部１２１ａの外周に対応する形状の異形孔１２２ｃとを有しており、この異形孔１２２ｃに取付シャフト１２１の第１異形軸部１２１ａを挿入し、前記第１カシメ部１２１ｅをかしめることにより、取付シャフト１２１の上端に固定され、取付シャフト１２１と共に回転するように構成されている。尚、操作部材１２２の各指掛け部１２２ｂ、１２２ｂには、その片側或は両側に指を掛けやすいように上方へ折り曲げて指掛片を設けるようにしても良い。さらに、操作部材１２２の形状を蝶ナット形状に構成しても良い。要するに指を掛け易ければ良く、実施例のものに限定されない。
【００４０】
係止部材１２３は、図４に示す如く、円形部１２３ａと、その半径方向に沿って外側に延び出た一対の係止部１２３ｂ、１２３ｂと、前記取付シャフト１２１の第２異形軸部１２１ｂの外周に対応する形状の異形孔１２３ｃとを有するよう形成され、この異形孔１２３ｃに取付シャフト１２１の第２異形軸部１２１ｂを挿入し、前記第２カシメ部１２１ｆをかしめることにより、取付シャフト１２１の下端に固定され、取付シャフト１２１と共に回転するように構成されている。尚、係止部材１２３の各係止部１２３ｂ、１２３ｂの上面側には、取付シャフト１２１を挟んで対向位置に凸部を設け、取付部材１０１の底板１０１ａの装甲板２０１への圧接状態を強くするように構成しても良い。また、係止部材１２３の円形部１２３ａは、係止孔２０２を挿通できれば足りるので、その形状に限定はない。さらに、係止部材１２３の係止部１２３ｂ、１２３ｂも、要するに係止孔２０２へ係止されればよいので、その形状に限定はない。
【００４１】
この実施例において、事務機器２０の装置本体２００の装甲板２０１には、係止部材１２３の全体として非円形の形状と対応する上述した形状の係止孔２０２が明けられ、係止部材１２３の回転角度位置に応じて、係止部材１２３が前記係止孔２０２を通過可能状態となったり、通過不能状態となったりする切換えが可能なように構成されている。尚、この実施例において、係止孔２０２は円形孔２０２ａと、この円形孔２０２ａと連通した矩形状を呈した一対の非円形孔２０２ｂ、２０２ｂから構成され、係止部材１２３の形状と同一形状になっており、係止部材１２３の平面から見た大きさが係止孔２０２を通過し易い大きさに選定されているが、操作部材１２２は前記係止孔２０２に嵌め込むことはないので、操作部材１２２と係止部材１２３の形状を同等とする必要はない。さらに、取付シャフト１２１のフランジ部１２１ｄの形状は、係止孔２０２の円形孔２０２ａの形状と同じ形状で、その大きさは、フランジ部１２１ｄが係止孔２０２に嵌め込まれた際に、ガタが生じないように選定されていることが望ましい。このように構成すると、ワンタッチ取付機構１２０を用いて蓋体の開閉装置１０を事務機器２０の装甲板２０１へ取り付け、蓋体２０３を開閉操作する際にその取付状態が安定するものである。
【００４２】
弾性部材１２４は、図示した実施例の場合、３枚の皿バネ１２４ａ〜１２４ｃから成り、前記取付部材１０１の底板１０１ａと前記操作部材１２２との間に挟まれた状態で取付シャフト１２１の第１異形軸部１２１ａ上に装着される。尚、皿バネの数に限定はない。この弾性部材１２４のバネ力によって、前記取付部材１０１の底板１０１ａと前記係止部材１２３との間に挟持される前記装置本体の装甲板２０１に所定の挟持圧が付与され、これによって、装甲板２０１に対する取付部材１０１の安定した取付状態が保持されるようになっている。なお、弾性部材１２４は、図示の皿バネ１２４ａ、１２４ｂ、１２４ｃに限定されず、スプリングワッシャー、ウエーブワッシャー、板バネ、圧縮コイルスプリング等の他の公知形態のものを単独部材或は複数で他に部材を適宜組み合わせで用いてもよい。
【００４３】
尚、図示した実施例において、前記取付シャフト１２１の前記円形軸部１２１ｃ上には、前記取付部材の底板に設けた軸孔１０１ｄよりも大径の円形フランジ部１２１ｄを形成し、前記装置本体の装甲板２０１への取付状態において、この円形フランジ部１２１ｄが前記装甲板に設けた前記係止孔２０２における前記円形フランジ部１２１ｄと同径の円形部２０２ａ内に収容されるようになっている。即ち、この円形フランジ部１２１ｄの径は、前記係止孔２０２における円形部２０２ａと同一径に形成され、係止孔２０２内で取付シャフト１２１が一定位置に安定して保持されるようになっている。なお、円形フランジ部１２１ｄの厚さは、装甲板２０１の厚さより若干薄くするのが最も望ましく、装甲板２０１の厚さよりも厚くならないようにすることが望ましい。但し、係止部材の１２３に凸部を設けた場合には、フランジ部の材圧の誤差を吸収できる。
【００４４】
このワンタッチ取付機構１２０を係止孔２０の取付部材１０１の底板１０１ａに組み付けるには、取付シャフト１２１の第１異形軸部１２１ａと円形軸部１２１ｃを、取付部材１０１の底板１０１ａに明けた軸孔１０１ｄに挿入し、その第１異形軸部１２１ａに３枚の皿バネ１２４ａ〜１２４ｃを装着した後、第１異形軸部１２１ａの先端には操作部材１２２を嵌め合せ、第２異形軸部１２１ｂの先端には係止部材１２３を嵌め合せた上で、第１異形軸部１２１ａの先端のカシメ部１２１ｅと第２異形軸部１２１ｂの先端のカシメ部１２１ｆをかしめることにより、ワンタッチ取付機構１２０を組み付けるようにする。この際に、予め図１や図３に示したように、操作部材の方向が底板の前後方向に向くようにしておく。すると、係止部材も操作部材の方向を向くことになる。そして、装置本体２００の装甲板２０１上には、この係止部材１２３の方向に合わせた当該係止部材１２３と同一形状の係止孔２０２が設けられている。尚、実施例では、係止孔２０２が蓋体の開閉装置１０の前後方向に設けられているが、この方向に限定はない。
【００４５】
本発明に係るワンタッチ取付機構１２２を用いて、蓋体の開閉装置１０を事務機器２０の装置本体２００へ取り付ける際には、通常、所定間隔を空けて一対の蓋体の開閉装置１０、１０（蓋体の開閉装置は、通常左右で構成の異なるものを用いるが、説明のため同じものを用いて説明する。）を用い、この各蓋体の開閉装置１０、１０の各リフト部材１０４、１０４（一方のみ表示）に蓋体２０３の後端部を取り付けた後、蓋体２０３を開いた状態で、各蓋体の開閉装置１０、１０の部分を手で持って、装置本体２００の装甲板２０１上に設けた各係止孔２０２、２０２（一方のみ表示）に各蓋体の開閉装置１０、１０の各係止部材１２３、１２３（一方のみ表示）をあてがい、各係止孔２０２、２０２へ嵌め込むと、各係止部材１２３、１２３は各係止孔２０２、２０２を貫通して各フランジ部１２１ｄ、１２１ｄ（一方のみ表示）が、各係止孔２０２、２０２（一方のみ表示）の位置で停止させられる。そこで、各操作部材１２２，１２２（一方のみ表示）を弾性部材１２４、１２４（一方のみ表示）の押圧力に抗して望ましくは９０度回転させると、取付シャフト１２１、１２１と共に係止部材１２３、１２３が同角度回転し、その係止部１２３ｂ、１２３ｂ、１２３ｂ、１２３ｂで係止孔２０２、２０２に係止されることにより、蓋体の開閉装置１０，１０の事務機器２０の装置本体２００に対する取付けがワンタッチで終了するものである。その際に弾性部材１２４、１２４は、その弾力で蓋体の開閉装置１０、１０を装置本体２００へ取り付け後、操作部材１２２、１２２が衝撃や振動などで回転してしまうのを防止している。
【実施例２】
【００４６】
図８は、ワンタッチ取付機構の他の実施例を示す。図面によれば、この実施例２に係るワンタッチ取付機構１３０は、取付シャフト１３１と、操作部材１３２と、係止部材１３３と、弾性部材１３４とから構成されており、取付シャフト１３１が、指示記号を省略するが、実施例１のもののように、軸直角断面が非円形の第１異形軸部１３１ａと、第２異形軸部１３１ｂと、それらの中間の円形軸部１３１ｃと、フランジ部１３１ｄと、第１カシメ部１３１ｅと、第２カシメ部１３１ｆとから形成され、その第１異形軸部１３１ａと円形軸部１３１ｃとが、前記取付部材１０１の底板１０１ａに設けた軸孔１０１ｄに下側から挿通され、その軸中心に回転可能に保持されるようになっている点で実施例１のものと同じである。
【００４７】
異なる点は、弾性部材１３４が係止部材１３３の側に設けられている点である。即ち、複数枚の皿バネ１３４ａから成る弾性部材１３４は、係止部材１３３と第２かしめ部１３１ｆとの間に平ワッシャー１３５と共に設置されている。したがって、取付シャフト１３１の第１異形軸部１３１ａの長さは、弾性手段を設けない分だけ短く、第２異形軸部１３１ｂは弾性部材１３４を設ける分長くなっている。このように構成しても、本発明の目的は達成できるものである。
【００４８】
このように構成すると、この弾性部材１３４によって、係止部材１３３の回転が規制され、操作部材１３２の回転も同時に規制されることになる。また、この弾性部材１３４は、操作部材１３２と係止部材１３３の両方に設けても良い。
【００４９】
以上、いずれの実施例の場合でも、修理、点検の際に蓋体を装置本体から取り外す必要のある場合には、操作部材を元位置に戻すと、係止部材の位置と係止孔の位置が重なり、蓋体の開閉装置に手指を添えて、上方へ持ち上げることにより、係止部材が係止孔から外れ、容易に蓋体の開閉装置ごと蓋体を装置本体から取り外すことができるものである。
【００５０】
なお、蓋体の開閉装置１０の支持部材１０２の構成、トルク制御手段１０８の構成、リフト部材１０４の有無、等々は、上述したように、上記実施例のものに限定されず、各種態様のものが可能であり、また、ワンタッチ取付機構１２０、１３０における取付シャフト１２１や１３１、操作部材１２２や１３２、係止部材１２３や１３３、弾性部材１２４や１３４の形態も各種態様のものが可能であり、本発明はそれらすべての変更実施例を包摂するものである。
【産業上の利用可能性】
【００５１】
本発明は、以上のように構成したので、事務機器の各種構成の蓋体の開閉装置を、装置本体へ簡単容易かつ安定的に、ワンタッチで取り付けることのできるワンタッチ取付機構として好適に用いられ、また、このようなワンタッチ取付機構を用いた蓋体の開閉装置を用いた事務機器として好適に用いられるものである。
【符号の説明】
【００５２】
１０      開閉装置
１０１    取付部材
１０２    支持部材
１０３    第１ヒンジシャフト
１０４    リフト部材
１０５    第２ヒンジシャフト
１０８    トルク制御手段
１１１  弾性手段
１２０、１３０    ワンタッチ取付機構
１２１、１３１    取付シャフト
１２１ｄ、１３１ｄ    フランジ部
１２２、１３２    操作部材
１２３、１３３    係止部材
１２４、１３４    弾性部材
２０      事務機器
２００    装置本体
２０１    装甲板
２０２    係止孔
２０３    蓋体
【図１】
0006525257.tif 000002
【図２】
0006525257.tif 000003
【図３】
0006525257.tif 000004
【図４】
0006525257.tif 000005
【図５】
0006525257.tif 000006
【図６】
0006525257.tif 000007
【図７】
0006525257.tif 000008
【図８】
0006525257.tif 000009
【図９】
0006525257.tif 000010